(57)【要約】【課題】  スイッチギヤのケーブル接続箇所において、相間距離および対地間距離の短縮化を図り、装置全体の小型化を可能とする。【解決手段】  絶縁体７と中継導体８とを備えたケーブル接続具３を有し、絶縁体７には貫通孔７ａおよび接続作業用の窓７ｂが形成され、また中継導体８は、その一部が貫通孔７ａ内の周りの絶縁体７内に埋設されると共に、残りの部分が貫通孔７ａ内において窓７ｂに臨んで露出されており、この露出部分に貫通孔７ａの上下からそれぞれ挿入されたケーブル４と接続導体５の各導体剥出部４ａ，５ａが結合されている。【選択図】        図５
2005198432.tif 000002
【特許請求の範囲】
【請求項１】
ケーブルと接続導体とを互いに接続するケーブル接続具を備え、このケーブル接続具は、絶縁体と中継導体とを有しており、上記絶縁体には、上下に貫通する貫通孔が形成されるとともに、その周壁には外部から上記貫通孔内に通じる接続作業用の窓が形成される一方、上記中継導体は、その一部が上記貫通孔内の周りの絶縁体内に埋設されるとともに、残りの部分が上記貫通孔内において上記窓に臨んで露出されており、上記ケーブルと接続導体とは、上記貫通孔の上下からそれぞれ挿入されて各導体剥出部が上記貫通孔内に露出している中継導体に結合されていることを特徴とするスイッチギヤ。
【請求項２】
上記貫通孔は、上記絶縁体の複数箇所に形成されていることを特徴とする請求項１に記載のスイッチギヤ。
【請求項３】
上記絶縁体には、過電流検出用の変流器が埋設されていることを特徴とする請求項１または請求項２に記載のスイッチギヤ。
【請求項４】
上記絶縁体には、地絡検出用の零相変流器が埋設されていることを特徴とする請求項３記載のスイッチギヤ。
【請求項５】
上記絶縁体には、その軸方向の一端部にケーブル接続具取付用の埋金が設けられていることを特徴とする請求項１ないし請求項４のいずれか１項に記載のスイッチギヤ。
【請求項６】
上記絶縁体には、その周壁の一部から径方向外方に固定部が突出して形成され、この固定部にケーブル接続具取付用の埋金が設けられていることを特徴とする請求項１ないし請求項４のいずれか１項に記載のスイッチギヤ。
【発明の詳細な説明】
【技術分野】
【０００１】
本発明は、スイッチギヤに係り、特にはケーブルと接続導体とを互いに接続するケーブル接続箇所の構造に関する。
【背景技術】
【０００２】
従来のスイッチギヤにおけるケーブル接続箇所は、通常、図１５および図１６に示すような構成になっている。すなわち、ここでは３相交流に対応して各相ごとにケーブル接続箇所が設けられた状況を示しており、フレーム２内に導入されたケーブル４と図示しない遮断器等に接続された接続導体５の各端部４ａ，５ａ同士が互いに接合されている。すなわち、ケーブル４と接続導体５の絶縁被覆を除いた各導体剥出部４ａ，５ａ同士がネジ１０で固定されている。また、接続導体５は、碍子１４を介してフレーム２にネジ１０で位置決め固定されている（例えば、特許文献１等参照）。
【０００３】
このように、従来のスイッチギヤのケーブル接続箇所においては、ケーブル４と接続導体５とを電気的に接続する必要上、ケーブル４と接続導体５の各導体剥出部４ａ，５ａがそれぞれ外部にそのまま露出した状態になっている。したがって、このような導体剥出部４ａ，５ａにおいて所要の耐電圧性能を得るためには、各相ごとに設けられているケーブル接続箇所の互いの離間距離（以下、相間距離という）Ｌ１、およびフレーム２との離間距離（以下、対地間距離という）Ｌ２，Ｌ３を十分に確保する必要がある。
【０００４】
【特許文献１】特開２００１−１７７９２７号公報
【発明の開示】
【発明が解決しようとする課題】
【０００５】
このように、従来のスイッチギヤにおいては、ケーブル接続箇所において相間距離Ｌ１および対地間距離Ｌ２，Ｌ３を共に十分に確保する必要があるために、ケーブル接続箇所の縮小化が難しく、このため、例えばスイッチギヤ全体の設置寸法Ｌｔが長くなって小型化を図る上で限界があった。
【０００６】
本発明は、上記の課題を解決するためになされたもので、スイッチギヤのケーブル接続箇所において、相間距離および対地間距離の短縮化を図ることができ、これにより装置全体の小型化を可能としたスイッチギヤを提供することを目的とする。
【課題を解決するための手段】
【０００７】
上記の目的を達成するために、本発明のスイッチギヤは、ケーブルと接続導体とを互いに接続するケーブル接続具を備え、このケーブル接続具は、絶縁体と中継導体とを有しており、上記絶縁体には、上下に貫通する貫通孔が形成されるとともに、その周壁には外部から上記貫通孔内に通じる接続作業用の窓が形成される一方、上記中継導体は、その一部が上記貫通孔内の周りの絶縁体内に埋設されるとともに、残りの部分が上記貫通孔内において上記窓に臨んで露出されており、上記ケーブルと接続導体とは、上記貫通孔の上下からそれぞれ挿入されて各導体剥出部が上記貫通孔内に露出している中継導体に結合されていることを特徴としている。
【発明の効果】
【０００８】
本発明によれば、ケーブルと接続導体の各導体剥出部が中継導体で結合された部分の外周は絶縁体で囲まれているで所要の耐電圧性能を容易に得ることができる。そのため、ケーブル接続箇所における相間距離および対地間距離を共に短縮化することができ、その結果、装置全体の小型化を図ることが可能になる。これにより、スイッチギヤの設置スペース等が少なくて済むなどの利点が得られる。
【発明を実施するための最良の形態】
【０００９】
実施の形態１．
図１は本発明の実施の形態１におけるスイッチギヤの３相分のケーブル接続箇所を示す正面図、図２はケーブル接続具を示す平面図、図３は同ケーブル接続具の正面図、図４は図２のＡ−Ａ線に沿う断面図、図５は図２のＢ−Ｂ線に沿う断面図、図６は図３のＣ−Ｃ線に沿う断面図である。
【００１０】
この実施の形態１のスイッチギヤ１は、フレーム２内に多数のケーブル接続箇所が設けられている。これらのケーブル接続箇所には、フレーム２内に導入されたケーブル４と図示しない遮断器等に接続された接続導体５とを互いに接続するケーブル接続具３が設けられている。
【００１１】
各ケーブル接続具３は、エポキシ樹脂等の絶縁性を有する合成樹脂からなる絶縁体７と、銅等の導電性金属からなる平板状の中継導体８とを備えている。そして、両者７，８はインサートモールド等によって一体成形されている。
【００１２】
上記の絶縁体７は、上下に貫通する貫通孔７ａが形成された円筒状のもので、その周壁部には外部から貫通孔７ａ内に通じる接続作業用の上下に長い楕円状の窓７ｂが形成されている。さらに、絶縁体７には、その軸方向上端部の複数箇所（本例では４箇所）に埋金９が設けられている。この埋金９は、その内周面に雌メジ部が形成されたもので、各埋金９にボルトを螺合することでケーブル接続具３がフレーム２の横桟（図示せず）に固定できるようになっている。
【００１３】
一方、上記の中継導体８は、その左右の横幅が貫通孔７ａの直径よりも大きく設定されている。このため、中継導体８は、その両端部が貫通孔７ａの周りの絶縁体７内に埋設されるとともに、残りの部分は貫通孔７ａ内において窓７ｂに臨んで露出されている。
【００１４】
そして、この中継導体８の貫通孔７ａの上下からそれぞれケーブル４と接続導体５が挿入されており、ケーブル４と接続導体５の絶縁被覆を除いた各導体剥出部４ａ，５ａが貫通孔７ａ内において露出している中継導体８にネジ１０で結合されている。この場合、ネジ１０は絶縁体７の窓７ｂを通して挿入して締結される。
【００１５】
このように、この実施の形態１では、ケーブル４と接続導体５の各導体剥出部４ａ，５ｂが結合された部分はその周りが絶縁体７によって囲まれているで、所要の耐電圧性能が容易に得られる。したがって、ケーブル接続箇所における相間距離Ｌ１および対地間距離Ｌ２，Ｌ３を従来に比べて大幅に短縮化することができる。このため、スイッチギヤ１全体の小型化を図ることが可能になり、スイッチギヤ１の設置スペース等が少なくて済むなどの利便性が高まる。
【００１６】
実施の形態２．
図７は本発明の実施の形態２におけるスイッチギヤのケーブル接続具を示す平面図、図８は同ケーブル接続具を一部切欠して示す側面図であり、図１ないし図６に示した実施の形態１と対応する構成部分には同一の符号を付す。
【００１７】
この実施の形態２の特徴は、ケーブル接続具３において、絶縁体７には、窓７ｂの形成箇所に対向した周壁の一部から径方向外方に固定部７ｃが突出して形成され、この固定部７ｃに埋金９が設けられていることである。
【００１８】
これにより、ケーブル接続具３を埋金９によってフレーム２の縦桟に取り付けすることができる。また、絶縁体７は固定部７ｃの厚さ分だけ厚くなっているので、耐電圧性能が高まり対地間距離を短くすることができる。
【００１９】
その他の構成、および作用、効果は実施の形態１の場合と同様であるから、ここでは詳しい説明は省略する。なお、この実施の形態２においても、実施の形態１と同様、絶縁体７の軸方向上端部に埋金を設けておくこともできる。
【００２０】
実施の形態３．
図９は本発明の実施の形態３におけるスイッチギヤのケーブル接続具を示す平面図、図１０は図９のＤ−Ｄ線に沿う断面図であり、図１ないし図６に示した実施の形態１と対応する構成部分には同一の符号を付す。
【００２１】
この実施の形態３の特徴は、ケーブル接続具３において、絶縁体７の上部の貫通孔７ａの周りに沿って過電流検出用の変流器（ＣＴ）１２が埋設されていることである。
【００２２】
このように、絶縁体７内にＣＴ１２を配置すれば、スイッチギヤのフレーム内に別個にＣＴ１２を設けていた従来の場合と比べて、ＣＴ１２の設置スペースを削減できるので、さらにスイッチギヤ全体の小型化を図ることができる。
【００２３】
その他の構成、および作用、効果は実施の形態１の場合と同様であるから、ここでは詳しい説明は省略する。
【００２４】
実施の形態４．
図１１は本発明の実施の形態４におけるスイッチギヤのケーブル接続具を示す平面図、図１２は同ケーブル接続具の正面図であり、図１ないし図６に示した実施の形態１と対応する構成部分には同一の符号を付す。
【００２５】
この実施の形態４の特徴は、ケーブル接続具３を構成する絶縁体７が長楕円形に形成され、この絶縁体７に３相分の貫通孔７ａが並列して形成されるとともに、各貫通孔７ａに個別に対応して中継導体８が設けられている。この場合も、絶縁体７と中継導体８とはインサートモールド等によって一体成形されている。そして、貫通孔７ａ内に露出している接続導体８の部分に各貫通孔７ａの上下からそれぞれ挿入されたケーブル４と接続導体５の各導体剥出部４ａ，５ａがネジ１０で結合されている。
【００２６】
この実施の形態４の構成によれば、実施の形態１の場合に比べると、３相分のケーブル接続箇所の相間距離をさらに短くできるので、スイッチギヤ全体の更なる小型化を図ることができる。
【００２７】
その他の構成、および作用、効果は実施の形態１の場合と同様であるから、ここでは詳しい説明は省略する。
【００２８】
実施の形態５．
図１３は本発明の実施の形態５におけるスイッチギヤのケーブル接続具を示す平面図、図１４は同ケーブル接続具の正面図であり、図１１および図１２に示した実施の形態４と対応する構成部分には同一の符号を付す。
【００２９】
この実施の形態５の特徴は、ケーブル接続具３において、絶縁体７の上部の左右２相分の貫通孔７ａの周りに沿ってそれぞれ過電流検出用の変流器（ＣＴ）１２が埋設され、また、絶縁体７の下部には周壁に沿って地絡検出用の零相変流器（ＺＣＴ）１３が埋設されている。
【００３０】
このように、絶縁体７内にＣＴ１２およびＺＣＴ１３を共に配置すれば、スイッチギヤのフレーム内に別個にＣＴ１２やＺＣＴ１３を設けていた従来の場合と比べて、これらの設置スペースを削減できるので、さらにスイッチギヤ全体の小型化が可能になる。
【００３１】
その他の構成、および作用、効果は実施の形態４の場合と同様であるから、ここでは詳しい説明は省略する。
【００３２】
なお、上記の実施の形態１では、ケーブル接続具３を構成する絶縁体７は円形の貫通孔７ａを有する円筒状のものとしたが、必ずしも円筒状のものである必要性はない。また、絶縁体７に形成した貫通孔７ａの形状は必ずしも円形である必然性はなく、ケーブル４や接続導体５の外形に合わせて四角形等の形状にすることが可能である。
【図面の簡単な説明】
【００３３】
【図１】本発明の実施の形態１におけるスイッチギヤのケーブル接続箇所を示す正面図である。
【図２】実施の形態１におけるケーブル接続具を示す平面図である。
【図３】同ケーブル接続具の正面図である。
【図４】図２のＡ−Ａ線に沿う断面図である。
【図５】図２のＢ−Ｂ線に沿う断面図である。
【図６】図３のＣ−Ｃ線に沿う断面図である。
【図７】本発明の実施の形態２におけるスイッチギヤのケーブル接続具を示す平面図である。
【図８】同ケーブル接続具を一部切欠して示す側面図である。
【図９】本発明の実施の形態３におけるスイッチギヤのケーブル接続具を示す平面図である。
【図１０】図９のＤ−Ｄ線に沿う断面図である。
【図１１】本発明の実施の形態４におけるスイッチギヤのケーブル接続具を示す平面図である。
【図１２】同ケーブル接続具の正面図である。
【図１３】本発明の実施の形態５におけるスイッチギヤのケーブル接続具を示す平面図である。
【図１４】同ケーブル接続具の正面図である。
【図１５】従来のスイッチギヤにおいて、３相分のケーブル接続箇所を示す正面図である。
【図１６】同ケーブル接続箇所の側面図である。
【符号の説明】
【００３４】
１  スイッチギヤ、３  ケーブル接続具、４  ケーブル、４ａ  導体剥出部、
５  接続導体、５ａ  導体剥出部、７  絶縁体、７ａ  貫通孔、７ｂ  窓、
７ｃ  固定部、８  中継導体、９  埋金、１２  変流器、１３  零相変流器。
【図１】
2005198432.tif 000003
【図２】
2005198432.tif 000004
【図３】
2005198432.tif 000005
【図４】
2005198432.tif 000006
【図５】
2005198432.tif 000007
【図６】
2005198432.tif 000008
【図７】
2005198432.tif 000009
【図８】
2005198432.tif 000010
【図９】
2005198432.tif 000011
【図１０】
2005198432.tif 000012
【図１１】
2005198432.tif 000013
【図１２】
2005198432.tif 000014
【図１３】
2005198432.tif 000015
【図１４】
2005198432.tif 000016
【図１５】
2005198432.tif 000017
【図１６】
2005198432.tif 000018